(57)【要約】【課題】洗濯後等において左右のペアが見つけやすいパンティー部を備えない（セパレート）ストッキングを提供する。【解決手段】このストッキング１００は、履き口部１４０とレッグ部１５０とを備え、履き口部１４０からレッグ部１５０へ全体が一体的に編成され、パンティー部を備えない。履き口部１４０が袋編みに編成され、履き口部１４０の肌側に、履き口部１４０を編成する編糸とは色が異なる編糸により、左右ペアで共通する線状の編み込み部１４２であって視覚により識別可能な線状の編み込み部１４２が編成されている。【選択図】図１
2020033657.tif 000002
【特許請求の範囲】
【請求項１】
履き口部とレッグ部とを備え、前記履き口部から前記レッグ部へ編成されるとともにパンティー部を備えないストッキングであって、
前記履き口部が袋編みに編成され、
前記履き口部の肌側に、前記履き口部を編成する編糸とは異なる編糸により、左右ペアで共通する線状の編み込み部であって視覚により識別可能な線状の編み込み部が編成された、ストッキング。
【発明の詳細な説明】
【技術分野】
【０００１】
本発明は、パンティー部を備えないストッキングに関し、特に、洗濯後等において左右のペアが見つけやすいストッキングに関する。
ここで、本発明に係るストッキングには、パンティー部を備えたパンティストッキングは含まず、丈の長さがひざ下丈程度までのいわゆるショートストッキング、ひざ上丈程度までのいわゆるオーバーニーストッキング、太腿程度までのいわゆるロングストッキングを含み、丈の長さが限定されない。なお、パンティー部を備えたストッキングをパンティストッキングと呼ぶのに対して、パンティー部を備えないストッキングをセパレートストッキングと呼ぶことがある。したがって、本発明は、丈の長さを問わないセパレートストッキングに関するものとなる。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護および保温さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れ、比較的光沢が多い。
ゾッキ（ゾッキ編み）は、一般的には、サポート糸（ポリウレタン糸にナイロン糸を巻き付けたカバリング糸）だけで編成されているものが多い。良好なフィット性を求めるときに好適である。また、ゾッキ編みのストッキングは、いわゆる伝線（使用中に編み組織の一部に引掛傷ができ糸が切れると生成される編組織が解編されたはしご状の線）が発生しにくいという特徴を備え、横縞模様が表れないで、比較的光沢が少ない。
【０００４】
このような交編（交編編み）またはゾッキ（ゾッキ編み）により、後述する本発明の実施の形態に係るストッキングのレッグ部（脚部）が編成される。
このようなパンティストッキングにおいて、伸縮糸の編成によってレッグ（ストッキング）部分とパンティー部分（ウエストバンドを含む）とが一体的に編成されるパンティストッキングは、そのパンティー部の存在により着用安定性、フイット性に優れ、また保温性を有するなどの利点があるため多用されている。そして、着用時にへそ上部またはへそ近傍に位置するウエストバンド部により、着用時のパンティー部のずり下がりを防止するようにしている。
【０００５】
また、夏期の蒸し暑さを回避するために、このようなパンティストッキングのパンティー部分を備えないストッキングであって、丈の長さがひざ下丈程度までのいわゆるショートストッキング、ひざ上丈程度までのいわゆるオーバーニーストッキング、太腿程度までのいわゆるロングストッキングも多用されている。このようなストッキングはパンティー部を備えないために、パンティー部（のウエストバンド部）以外で（基本的には履き口部の口ゴムにより）ずり下がりを防止するようにしなければならない。
【０００６】
このようなパンティー部を備えないストッキングは、ウエストバンド部を備えないためにウエストバンド部以外（の履き口部の口ゴム等）によりずり下がりを防止しなければならず、この履き口部に強い締め付け力を備えさせなければならない。その結果、このようなストッキングを脱いだ後に履き口部の口ゴム等の跡形が皮膚にくっきりと付いてしまう可能性が高い。このような問題点に鑑みて、本願出願人は、好適なずり下がり防止機能を備えるにもかかわらず、脱いだ後に履き口の跡形が皮膚に付きにくい（パンティー部を備えないセパレート）ストッキングおよびその製造方法を開発して出願しており、特開２０１８−０１６９２２号公報（特許文献１）に開示されている。
【０００７】
このストッキングは、履き口部とレッグ部とを備え、前記履き口部から前記レッグ部へ全体が一体的に編成され、パンティー部を備えないストッキングであって、前記履き口部が、ポリウレタンベア糸、２本のウーリーナイロン糸、芯糸がポリウレタン糸で捲糸がナイロン糸のカバリング糸によるプレーン編みで袋編みに編成され、前記履き口部に引き続き、編糸が切り替えられて前記レッグ部が編成されている。
【先行技術文献】
【特許文献】
【０００８】
【特許文献１】特開２０１８−０１６９２２号公報
【発明の概要】
【発明が解決しようとする課題】
【０００９】
ところで、このようなストッキングは、パンティー部を備えないために当然であるが、左右を一組（ペア）にしてパッケージに収納されて販売されている状態で購入する。購入後または着用後にそのパッケージは廃棄されて左右ペアでのストッキングとなり、多くの場合、洗濯後にタンス等の引き出しにストッキングは丸めて収納される。たとえば、このような場合において洗濯後に左右のペアを探そうとしても、丈、色または柄が同じような複数ペアのストッキングを同時に洗濯した場合にそのペアが容易に見つからない場合がある。特に、特許文献１の図１に示す丈の長さがひざ下丈程度までのいわゆるショートストッキングは、丈も短く全体としても小さいために（洗濯における脱水直後は特に小さいために）色および柄の差異が視覚に捉えにくく、そのペアが容易に見つからない場合が多い。
【００１０】
本発明は、従来技術の上述の問題点に鑑みて開発されたものであり、その目的とするところは、洗濯後等において左右のペアが見つけやすいパンティー部を備えない（セパレート）ストッキングを提供することである。
【課題を解決するための手段】
【００１１】
上記目的を達成するため、本発明に係るストッキングは以下の技術的手段を講じている。
すなわち、本発明に係るストッキングは、履き口部とレッグ部とを備え、前記履き口部から前記レッグ部へ編成されるとともにパンティー部を備えないストッキングであって、前記履き口部が袋編みに編成され、前記履き口部の肌側に、前記履き口部を編成する編糸とは異なる編糸により、左右ペアで共通する線状の編み込み部であって視覚により識別可能な線状の編み込み部が編成されている。
【発明の効果】
【００１２】
本発明に係るストッキングによれば、洗濯後等において左右のペアが見つけやすいパンティー部を備えない（セパレート）ストッキングを提供することができる。
【図面の簡単な説明】
【００１３】
【図１】本発明の実施の形態に係るストッキングの着用状態を示す斜視図である。
【図２】図１のストッキングを（着用しないで）平面に載置した図であって（Ａ）表側（外側）の平面図、（Ｂ）裏返した裏側（肌側）の平面図である。
【発明を実施するための形態】
【００１４】
以下、本発明の実施の形態であるストッキングについて説明する。なお、本発明に係るストッキングは、パンティー部を備えないで左右で１ペアのストッキングであって、その丈は限定されるものではない。すなわち、丈の長さがひざ下丈程度までのいわゆるショートストッキング、ひざ上丈程度までのいわゆるオーバーニーストッキング、太腿程度までのいわゆるロングストッキングを含む。以下においては、これらを代表させて丈の長さがひざ下丈程度までの（ショート）ストッキング１００を、図面に基づき詳しく説明する。
【００１５】
なお、本発明は、このストッキング１００の履き口部（口ゴムやメインバンドと呼ばれる場合がある）１４０に好適に適用される。ここで、ロングストッキング、オーバーニーストッキングおよびショートストッキングにおいて、履き口部１４０およびレッグ部の先端である爪先部１６０は共通し、丈の長さは異なる以外においてレッグ部１５０は共通し、本発明に係るストッキングは、パンティー部を備えないで左右で分離した、丈の長さが限定されない点では、全般的なセパレートストッキングを含む。
【００１６】
図１は本発明の実施の形態に係るストッキング１００の着用状態を示す斜視図であって、図１（Ａ）が斜め前方から見た斜視図であって、図１（Ａ）が斜め後方から見た斜視図である。図２はこのストッキング１００を着用しないで平面に載置した図であって、図２（Ａ）がストッキング１００の表側（外側）の平面図であって、図２（Ｂ）がストッキング１００を裏返した裏側（肌側）の平面図である。ストッキング１００は、履き口部１４０と、脚を被覆するレッグ部１５０とレッグ部の先端を形成する爪先部１６０を備える。なお、爪先部１６０については、オープントゥタイプの爪先を露出する形状であっても構わない。
【００１７】
これらの図に示すように、本実施の形態に係るストッキング１００は、筒状に編成された左足用および右足用が共通する編地（左右共通しない編地であっても構わない）により左右１組の１足分（１人分の２脚分）が形成されている。また、レッグ部１５０の先端である爪先部１６０は周知の手段により、袋状に縫着することにより製造される。このような製造工程の最終工程において、熱セット（湿熱セット）が行われる。
【００１８】
この熱セットは、後述するように、編糸である、ウレタン系弾性糸（ポリウレタン糸）のベア糸、および／または、カバリング糸（履き口部１４０にもレッグ部１５０にも編成糸として含まれる）の芯糸であるウレタン系弾性糸（ポリウレタン糸）に熱融着糸または熱合着糸を用いて、熱融着糸どうしの接触部において繊維どうしが融着して離れ難くなるようにセットしたり、熱合着糸どうしの接触部において繊維どうしが合着して離れ難くなるようにセットしたりすることにより、簡単に伝線することを防止することを目的とする。この熱セットは、熱融着糸または熱合着糸に対応した所望の条件（温度、時間等）で行われる。
【００１９】
そして、このストッキング１００は、上述したようにパンティー部を備えず履き口部１４０とレッグ部１５０とから構成され、全体が一体的に編成される。このストッキング１００において特徴的であるのは、履き口部１４０が袋編みに編成されているともに、履き口部１４０の肌側に、履き口部１４０を編成する編糸とは異なる編糸により、左右ペアで共通する線状の編み込み部１４２であって視覚により識別可能な線状の編み込み部１４２が編成されている点である。
【００２０】
この履き口部１４０は、従来はタック編み組織で編成していたことに対して、特許文献１に開示されたようにプレーン編み（平編み、メリヤス編み、天竺編み、ジャージー）組織により袋編みに編成することも好ましい。なお、このストッキング１００において袋編みの履き口部１４０が線状の編み込み部１４２を備えること以外の糸仕様および編設計ならびに製造方法については、本願出願人の出願に係る特許文献１に記載された事項を採用することも好ましく、ここでは詳しく説明しない。特に、特許文献１に記載された事項を採用することにより、一般的なストッキングの履き口部よりも、薄く、かつ、弱い伸縮力を発現させつつ適切な伸縮力（適度な締め付け力）を実現することができるために、ストッキング１００を脱いだ後に履き口部１４０の跡形が皮膚に付きにくくなり、着用快適性について好ましいものとなる。
【００２１】
また、このストッキング１００のレッグ部１５０については、一般的なパンティストッキングと、同じ糸仕様かつ同じ編設計により（交編（交編編み）またはゾッキ（ゾッキ編み）により）編成されている。特に、芯糸がポリウレタン糸で捲糸がナイロン糸のカバリング糸（ＳＣＹ：Ｓｉｎｇｌｅ  Ｃｏｖｅｒｅｄ  Ｙａｒｎ）によるゾッキ編みであって、ストレッチ性が高く、フラットな質感を備えたＳＣＹゾッキ仕様が特に好ましい。このようなＳＣＹゾッキ仕様であると、肌当たりが優しく優しい履き心地を実現することができる。
【００２２】
本実施の形態に係るストッキング１００の履き口部１４０は、上述したように袋編みで編成されているともに、図２（Ｂ）に示すように、履き口部１４０の肌側に、履き口部１４０を編成する編糸とは異なる編糸により、左右ペアで共通する線状の編み込み部１４２であって視覚により識別可能な線状の編み込み部１４２が編成されている。編み込み部１４２は、たとえば、履き口部１４０を編成する編糸とは異なる色の編糸を用いて履き口部１４０の編地に編み込むことにより視覚により識別可能となる線状（ライン状）の編み込み部１４２である。
【００２３】
ここで、図１（Ａ）および図１（Ｂ）に示すように、この編み込み部１４２は、履き口部１４０の肌側の全周（ふくらはぎ１周分）に亘って、肌側のみに設けられている。このように編み込み部１４２は、肌側のみの全周に亘って設けられているために、全周であるために視覚で捉えやすく、かつ、肌側のみであるのでストッキング１００を着用した場合に外側から見えないのでストッキングのデザイン性を損なわない。
【００２４】
また、この編み込み部１４２は、ストッキング１００の左右ペアで共通して、かつ、視覚により識別可能であれば容易に左右のペアを見つけることができるために、色に加えて／代えて、ラインの数を変更させるようにしても構わない。
一般的にストッキング１００は、同じ種類（品番）であれば左右の１ペアが成立するために、このような編み込み部１４２は品番毎に（ライン色やライン数が）異なるように設けることが好ましい。
【００２５】
以上のようにして、洗濯後等において左右のペアが見つけやすいパンティー部を備えない（セパレート）ストッキングを提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、パンティー部を備えない（セパレート）ストッキングに好適であり、洗濯後等において左右のペアが見つけやすい点で特に好適である。
【符号の説明】
【００２７】
１００  （セパレート）ストッキング（ショートストッキング）
１４０  履き口部
１４２  線状（ライン状）の編み込み部
１５０  レッグ部
１６０  （レッグ部における）爪先部
【図１】
2020033657.tif 000003
【図２】
2020033657.tif 000004